(57)【要約】【課題】転倒防止に役立たせることができる靴下を提供し、利用者の満足度を向上させる。【解決手段】  靴下１に、人の足のアキレス腱裏Ｋ５から内踝Ｋ１の間、および前記アキレス腱裏Ｋ５から外踝Ｋ２の間に、周囲の他の部分よりも伸縮する力の強い弾性部を設け、前記弾性部は、前記アキレス腱裏から前記内踝の間にある内側強弾性部２２と、前記アキレス腱裏から前記外踝の間にある外側強弾性部２４とに分離して設けられ、前記アキレス腱裏Ｋ５における前記内側強弾性部２２と前記外側強弾性部２４の間に、前記内側強弾性部２２と前記外側強弾性部２４より弾性性が低いか弾性しないアキレス腱解放部２３を備えた。【選択図】図２
2018178322.tif 000002
【特許請求の範囲】
【請求項１】
人の足のアキレス腱裏から内踝の間、および前記アキレス腱裏から外踝の間に、周囲の他の部分よりも伸縮する力の強い弾性部を設けた
靴下。
【請求項２】
前記弾性部は、
前記アキレス腱裏から前記内踝の間にある内側強弾性部と、
前記アキレス腱裏から前記外踝の間にある外側強弾性部とに分離して設けられ、
前記アキレス腱裏における前記内側強弾性部と前記外側強弾性部の間に、前記内側強弾性部と前記外側強弾性部より弾性性が低いか弾性しないアキレス腱解放部を備えた
請求項１記載の靴下。
【請求項３】
前記内側強弾性部および前記外側強弾性部は、いずれも、踝の中心からアキレス腱裏の中心までの長さの四分の一以上で、かつ、踝の中心からアキレス腱裏の中心までの長さより短く形成されている
請求項２記載の靴下。
【請求項４】
前記内側強弾性部は、内踝とアキレス腱の間におけるアキレス腱側に配置され、
前記内側強弾性部と前記内踝の間に、前記内側強弾性部よりは弾性性が弱いが他の周辺組織よりも弾性性が高い内側弱弾性部を備え、
前記外側強弾性部は、外踝とアキレス腱の間におけるアキレス腱側に配置され、
前記外側強弾性部と前記外踝の間に、前記外側強弾性部よりは弾性性が弱いが他の周辺組織よりも弾性性が高い外側弱弾性部を備えた
請求項２、または３記載の靴下。
【発明の詳細な説明】
【技術分野】
【０００１】
この発明は、人が足に履く靴下に関する。
【背景技術】
【０００２】
従来、様々な機能性のある靴下が提案されている。  
例えば、矯正機能付き靴下が提案されている（特許文献１参照）
この矯正機能付き靴下は、中足骨靭帯に対応する足裏部及びその両側部に当接する部分を弾性材で構成し、中足骨靭帯に対応する足表部に当接する部分を前記弾性材より弾性の低い材料で構成する。これにより、足表部から足裏部に向かっては締め付けないので、中足骨靭帯を所望の横アーチ状に上手く再生できるとされている。また、アキレス腱部分に第２弾性領域を設けることも記載されている。  
しかしながら、文献１の発明は、転倒を防止するようなものではなかった。
【先行技術文献】
【特許文献】
【０００３】
【特許文献１】特開２００５−４２２１３号公報
【発明の概要】
【発明が解決しようとする課題】
【０００４】
この発明は、上述の問題に鑑みて、転倒防止に役立たせることができる靴下を提供し、利用者の満足度を向上させることを目的とする。
【課題を解決するための手段】
【０００５】
この発明は、人の足のアキレス腱裏から内踝の間、および前記アキレス腱裏から外踝の間に、周囲の他の部分よりも伸縮する力の強い弾性部を設けた靴下であることを特徴とする。
【発明の効果】
【０００６】
この発明により、転倒防止に役立たせることができる靴下を提供できる。
【図面の簡単な説明】
【０００７】
【図１】靴下の右側面図。
【図２】靴下を平面側から見た一部断面図。
【図３】靴下を底面側からみた底面図。
【図４】靴下の右側面断面図。
【発明を実施するための形態】
【０００８】
本発明の発明者は、転倒しやすい人や足をぐねりやすい人などの転倒や足のぐねりを防止できるように、鋭意研究を行った。転倒や足をぐねる原因として、足が内向きに傾いた状態で足の小指球側から接地させるような歩行となり、この小指球側が内側に入りすぎて足をぐねる、あるいは転倒するといったことが生じていることがわかった。このような接地の状態を改善するためには、足裏を小指球側から接地させるのではなく、まっすぐ平行に接地するように改善できれば良い。
【０００９】
そこで、発明者は、様々な靴下の形状を検討した。そして、アキレス腱から踝にかけて靴下が体表面から離れて浮いていることがその原因の一つであり、この部分の靴下を体表面に接触させると、小指球側から接地していた歩行をまっすぐに近い状態で接地するようになることを見出した。
【００１０】
そして、踝からアキレス腱の間における靴下の弾性を変化させることで、アキレス腱から踝の間で靴下が体表面から浮かずにできるだけ体表面に接触するようにできることを発明した。また、足指をしっかり広げて接地させ、浮指を防止することで、上述したような足をぐねることや転倒をさらに防止できることを発明した。
【００１１】
以下、これらの要素をすべて加えたこの発明の一実施形態を図面と共に説明する。
【実施例１】
【００１２】
図１は、人が履いた状態の靴下１の右側面図を示し、図２は踝付近で横断した靴下１の平面図を１８０度回転させた図を示し、図３は、人が履いた状態の靴下１の底面図を９０度左へ倒した状態の図を示し、図４は縦断した靴下１の右側面断面図を示す。
【００１３】
図１に示すように、靴下１は、開口されているリング状の縁部２と、この縁部２から繋がる足首部３と、足首部３の下方背面から底面に繋がる踵部９と、足首部３の正面側と踵部９から繋がる足先部４と、足先部４の先に繋がる足指部５とを有している。
【００１４】
靴下１の全体は、適宜の編み方で編まれた編み物で形成されている。  
靴下１の踵部９と足首部３との間の後方部分には、左右の踝Ｋからアキレス腱裏Ｋ５（図２参照）のある後方中央にかけて、転倒防止用密着部２０が設けられている。この転倒防止用密着部２０の幅Ｌ１１（図１の上下幅）は、人が履いた状態で１．５ｃｍ〜５ｃｍとなるように形成することができ、２ｃｍ〜４ｃｍとなるように形成することが好ましく、この実施例では好適な２．５ｃｍ程度となるように形成されている。転倒防止用密着部２０から接地面までの高さＬ１２は、接地面から踝Ｋの高さまでより前記幅Ｌ１１の半分程度低い高さとなっている。
【００１５】
図２に示すように、転倒防止用密着部２０は、内踝Ｋ１から後方へ続く内側弱弾性部２１と、そこからさらに後方のアキレス腱付近まで続く内側強弾性部２２と、そこから続くアキレス腱の裏部分のアキレス腱解放部２３と、アキレス腱解放部２３から外踝Ｋ２へ向かって途中まで続く外側強弾性部２４と、そこからさらに外踝Ｋ２に続く外側弱弾性部２５を有している。内側弱弾性部２１から外側弱弾性部２５までの前方には、靴下１全体の素材および編み方と同じ素材で同じ編み方に編まれた通常編み部２９が設けられている。
【００１６】
内側弱弾性部２１（および外側弱弾性部２５）は、周方向の一端が内踝Ｋ１（および外踝Ｋ２）にかかるように形成され、この一端から内側強弾性部２２（および外側強弾性部２４）に接続される他端までの長さＬ５１（および長さＬ５５）が、内踝Ｋ１（および外踝Ｋ２）の中心からアキレス腱の中心までの距離の半分以下に形成されている。この長さＬ５１（および長さＬ５５）は、人が履いた状態で２ｃｍ〜４ｃｍ程度となるように形成することができ、２．５ｃｍ〜３．５ｃｍ程度となるように形成することが好ましく、この実施例では好適な３ｃｍ程度となるように形成されている。この内側弱弾性部２１（および外側弱弾性部２５）は、幅方向（図１の上下方向）に伸びるリブが周方向（図１の左右方向）に並んでいる形状で、かつ、靴下１の全体を構成する通常編み部２９よりも周方向の弾性が少し強い（伸ばすために少し強い力が必要で縮もうとする力も少し強い）編み方又は／及び素材により構成されている。
【００１７】
内側強弾性部２２（および外側強弾性部２４）は、周方向の一端が内側弱弾性部２１（および外側弱弾性部２５）に接続され、この一端からアキレス腱解放部２３に接続される他端までの長さＬ５２（および長さＬ５４）が、内踝Ｋ１（および外踝Ｋ２）の中心からアキレス腱の中心までの距離の四分の一以上に形成され、好ましくは三分の一以上に形成されている。この長さＬ５２（および長さＬ５４）は、人が履いた状態で１．５ｃｍ〜４ｃｍ程度となるように形成することができ、２ｃｍ〜３．５ｃｍ程度となるように形成することが好ましく、この実施例では好適な２．５ｃｍ程度となるように形成されている。この内側強弾性部２２（および外側強弾性部２４）は、この内側弱弾性部２１（および外側弱弾性部２５）は、幅方向（図１の上下方向）に伸びるリブ（内側弱弾性部２１および外側弱弾性部２５よりも凹凸の強いリブ）が周方向（図１の左右方向）に並んでいる形状で、かつ、内側弱弾性部２１（および外側弱弾性部２５）よりもさらに周方向の弾性が強い（伸ばすために強い力が必要で縮もうとする力も強い）編み方又は／及び素材により構成されている。
【００１８】
アキレス腱解放部２３は、内側強弾性部２２と外側強弾性部２４の間に設けられている。このアキレス腱解放部２３は、内側強弾性部２２および外側強弾性部２４よりも弾性が弱く（伸ばすために必要な力が弱くてすみ、縮もうとする力も弱い）形成されている。内側強弾性部２２に接続されるアキレス腱解放部２３の一端から、外側強弾性部２４に接続されるアキレス腱解放部２３の他端までの長さＬ５３は、人が履いた状態で０．５ｃｍ〜３ｃｍ程度となる長さに形成することができ、１．０〜２．５ｃｍ程度となる長さに形成することが好ましく、この実施例では好適な１．５ｃｍ程度に形成されている。
【００１９】
この構成により、転倒防止用密着部２０は、内側弱弾性部２１と外側弱弾性部２５が、その外周に比べて弾性の度合いが強く（伸ばすのに強い力が必要で縮む力も強い）、かつ、アキレス腱の裏に対応するアキレス腱解放部２３や通常編み部２９の弾性の度合いを低く（呼ばすのに必要な力が弱く縮む力も弱い）することができる。これにり、内踝Ｋ１（および外踝Ｋ２）からアキレス腱のある部位までの間に存在する内側弱弾性部２１（および外側弱弾性部２５）を、人の足の表面にできるだけ接触させることができる。
【００２０】
すなわち、一般的な靴下は、踝からアキレス腱までの間で人の足の表面から靴下素材が浮いて接触しないことが多い。これに対して、内踝Ｋ１（および外踝Ｋ２）からアキレス腱のある部位までの間に存在する内側弱弾性部２１と内側強弾性部２２（および外側強弾性部２４と外側弱弾性部２５）を、人の足の表面にできるだけ接触させることで、該当部位を刺激でき、足が内向きに傾いた状態で接地させて転倒や足をぐねるといったことを防止することができる。つまり、一般に、足の内側が持ち上がって足の外側を接地させるように歩いてしまい、足をぐねる、あるいは転倒するといったことが生じやすい。これに対して、内踝Ｋ１（および外踝Ｋ２）からアキレス腱のある部位までの間部分について、体表面から離れている一般の靴下と異なり、この靴下１であれば体表面にできるだけ接触させることができる。特に、外踝Ｋ２の下側やや後方に存在する踵腓靭帯を外側強弾性部２４および外側弱弾性部２５により押さえて刺激することができ、これによって自然に足の小指側を普段より上げる方向へ変化させることができ、ぐねることや転倒をしっかり防止できる。
【００２１】
足先部４は、土踏まず部分８を含めて一定幅で上下左右の一周をぐるりと囲む土踏まず締め付け部３７が設けられている。土踏まず締め付け部３７の幅Ｌ６（図３参照，図３の左右方向）は、人が履いた状態で３ｃｍ〜７ｃｍ程度となるように形成することができ、４ｃｍ〜６ｃｍ程度となるように形成することが好ましく、この実施例では好適な５ｃｍ程度となるように形成されている。
【００２２】
この土踏まず締め付け部３７は、幅方向（図１の左右方向）に伸びるリブが周方向（図１の上下方向および奥行方向）に並んでいる形状で、かつ、靴下１の全体を構成する通常編み部２９（図２参照）よりも周方向の弾性が少し強い（伸ばすために少し強い力が必要で縮もうとする力も少し強い）編み方又は／及び素材により構成されている。
【００２３】
この弾性により、土踏まず締め付け部３７は、骨のある足の甲へ向かって土踏まずを含む足裏を持ち上げるように締め付ける。このような締め付けにより、靴下１の土踏まず締め付け部３７は、履いている人の足先に対して、足の指球中心７から踵部９にかけて前後両端が下がり中央が上がる湾曲したアーチを作るように補助することができる。これにより、下方へ下がる指球中心７のさらに先にある足指部５に対して、下方へ向かって接地するように補助することができる。
【００２４】
また、足先部４は、指球中心７を端部として土踏まず側に一定幅で上下左右の一周をぐるりと囲む左右締め付け部３５が設けられている。左右締め付け部３５の幅Ｌ４（図３参照，図３の左右方向）は、人が履いた状態で０．５ｃｍ〜３ｃｍ程度となるように形成することができ、１ｃｍ〜２ｃｍ程度となるように形成することが好ましく、この実施例では好適な１．５ｃｍ程度となるように形成されている。
【００２５】
この左右締め付け部３５は、上面側（足の甲側）で、親指の中心程度の位置から小指の中心程度の位置までの範囲の左右強締め付け部３５ａと、それ以外の範囲（足裏を含む）の左右弱締め付け部３５ｂにより構成されている。
【００２６】
左右弱締め付け部３５ｂは、幅方向（図１の左右方向）に伸びるリブが周方向（図１の上下方向および奥行方向）に並んでいる形状で、かつ、靴下１の全体を構成する通常編み部２９（図２参照）よりも周方向の弾性が少し強い（伸ばすために少し強い力が必要で縮もうとする力も少し強い）編み方又は／及び素材により構成されている。
【００２７】
左右強締め付け部３５ａは、幅方向（図１の左右方向）に伸びるリブ（左右弱締め付け部３５ｂよりも凹凸の強いリブ）が周方向（図１の上下方向および奥行方向）に並んでいる形状で、かつ、左右弱締め付け部３５ｂよりも周方向の弾性がさらに強い（伸ばすためにさらに強い力が必要で縮もうとする力もさらに強い）編み方又は／及び素材により構成されている。
【００２８】
この弾性により、左右締め付け部３５は、足の第一中足骨の足指側と第五中足骨の足指側を下方で内へ寄せるように締め付ける。このような締め付けにより、靴下１の左右締め付け部３５は、履いている人の足先部分に対して、足の左右方向の両端が下がり中央が上がるように湾曲するアーチを作るように補助することができる。これにより、第一中足骨の先にある親指および第五中足骨の先にある小指を、左右外側でかつ下方に向かって広げるように補助することができる。
【００２９】
また、この左右締め付け部３５は、その周囲とクッション性があまり変わらないかそれより低いように編み込まれている。これにより、左右締め付け部３５は、靴下１を履く人が指球（特に母指球）を地面に衝突させるように歩くようになることを防止できる。すなわち、指球（特に母指球）のクッション性が高いと、それを履く人が無意識にそのクッション部分を地面に当てるように歩くようになる。そのようになると、浮指が進行するか、浮指でなかった人が浮指になる可能性が出てくる。これに対して、指球部のクッション性を高めない（抑える）ことにより、指球を地面に当てるような歩き方とならずに、適切な接地状態および歩き方を促すことができる。
【００３０】
図３に示すように、靴下１の底部には、親指部５ａ、人差し指部５ｂ、中指部５ｃ、および薬指部５ｄに対応する四指用凸状刺激部３１と、小指部５ｅに対応する小指用凸状刺激部３３により構成される凸状刺激部３０が設けられている。この凸状刺激部３０は、パイルクッション等の適宜のクッション性のある素材により形成されている。これにより、足裏に接触しやすくして刺激を与えやすくすると共に、歩行時等に踏まれても違和感が出にくいようにしている。
【００３１】
親指部５ａ、人差し指部５ｂ、中指部５ｃ、および薬指部５ｄは、いずれも、幅よりも長さの方が長く形成されており、特に、人差し指部５ｂは、基部から先端までの長さが親指部５ａと同じ長さに形成されている。これにより、人によって人差し指の長さがまちまちであり、親指より人差し指が長い人であっても、人差し指にのみ過度に窮屈な状態を避けることができ、各指を自由な状態にできる。
【００３２】
また、親指部５ａ、人差し指部５ｂ、中指部５ｃ、および薬指部５ｄの付け根部分は、いずれもほぼ横並びに構成されているが、小指部５ｅと薬指部５ｄの間である小指部５ｅの付け根部分のみ、土踏まず側へ大きく下げて配置している。これにより、親指をしっかり親指部５ａに通し、かつ、小指をしっかり小指部５ｅに通しつつ、他の指も窮屈ではない状況で人差し指部５ｂ、中指部５ｃ、および薬指部５ｄに通して快適に利用できるように構成されている。
【００３３】
四指用凸状刺激部３１は、親指部５ａの付け根の関節線６ａ（人の親指の付け根にある関節の線）、人差し指部５ｂの付け根の関節線６ｂ（人の人差し指の付け根にある関節の線）、中指部５ｃの付け根の関節線６ｃ（人の中指の付け根にある関節の線）、および薬指部５ｄの付け根の関節線６ｄ（人の薬指の付け根にある関節の線）の位置である関節線位置Ｐ１から、足の指球中心７の位置である指球中心位置Ｐ２（母子球の中心の位置）までの間に設けられている。この実施例では、四指用凸状刺激部３１は、関節線位置Ｐ１と指球中心位置Ｐ２の中心位置よりも関節線位置Ｐ１側に設けられている。詳述すると、四指用凸状刺激部３１は、間接線６ａ，６ｂ，６ｃ，６ｄの位置に設けられるか、もしくは、間接線６ａ，６ｂ，６ｃ，６ｄの位置である関節線位置Ｐ１から四指用凸状刺激部３１の中心位置までの距離Ｌ２が、四指用凸状刺激部３１の中心位置から指球中心位置Ｐ２までの距離Ｌ３より短くなる位置に設けることができ、距離Ｌ３の二分の一以下となる位置に設けることが好ましく、距離Ｌ３の三分の一以下となる位置に設けることがより好ましく、この実施例では好適な距離Ｌ３の四分の一程度の位置に設けられている。
【００３４】
また、四指用凸状刺激部３１の長さは、親指部５ａの中心より外側（図３の上側）、すなわち親指部５ａのほぼ全体をカバーできる位置から、薬指部５ｄの中心より外側（図３の下側）、すなわち薬指部５ｄのほぼ全体をカバーできる位置までの長さに形成されている。
【００３５】
小指用凸状刺激部３３は、小指部５ｅの付け根にある関節線６ｅ（人の小指にある付け根の関節の線）の位置である関節線位置Ｐ３から、足の指球中心７の位置である指球中心位置Ｐ２（母子球の中心の位置）までの間（若しくは小指球の中心までの間）に設けられている。この位置は、小指部５ｅの付け根部分よりも土踏まず側であり、小指部５ｅの付け根部分よりも指先側にある四指用凸状刺激部３１とは明確に異なる位置となっている。この小指用凸状刺激部３３は、間接線６ｅの位置に設けられるか、もしくは、間接線６ｅの位置である関節線位置Ｐ３から、指球中心位置Ｐ２までの間に設けられることが好ましい。
【００３６】
四指用凸状刺激部３１の足裏縦方向（図３の左右方向）の位置から小指用凸状刺激部３３の足裏縦方向の位置までの距離Ｌ９は、０．５ｃｍ〜１．５ｃｍとすることができ、この実施例では好適な１ｃｍ程度に形成されている。
【００３７】
四指用凸状刺激部３１および小指用凸状刺激部３３の幅（図３の左右方向）は、人が履いた状態で０．１ｃｍ〜１．５ｃｍとなる幅にすることができ、０．２ｃｍ〜１．０ｃｍとなる幅にすることが好ましく、この実施例では好適な０．８ｃｍ程度に形成されている。
【００３８】
四指用凸状刺激部３１および小指用凸状刺激部３３の厚さは、図４の断面図に示すように、周囲の厚さ（通常編み部２９の厚さ）よりも厚くして内側（足側）に凸となるように構成されており、０．１ｃｍ〜０．５ｃｍとすることが好ましく、この実施例では好適な０．３ｃｍ程度に形成されている。
【００３９】
この構成により、凸状刺激部３０は、関節線６（６ａ，６ｂ，６ｃ，６ｄ，６ｅ）のある足指の付け根から肉球の間で足裏を刺激する。このため、この靴下１を履いた人は、身体の条件反射によって自然と足指部５が曲がり、足指部５が地面に接地するようになる。特に、凸状刺激部３０は、指球中心７から足指部５側へ外れているため、接地面と足の間で体重がかかる部分には存在せず、履いている人にとって違和感のない良好な履き心地を提供するとともに、凸状刺激部３０をクッションのようにして凸状刺激部３０を地面に当てるように歩くようになることを防止できる。
【００４０】
また、凸状刺激部３０は、四指用凸状刺激部３１と小指用凸状刺激部３３で異なる位置に設けられているため、四指用凸状刺激部３１により親指部５ａ、人差し指部５ｂ、中指部５ｃ、および薬指部５ｄをしっかりと曲げさせ、小指用凸状刺激部３３により小指部５ｅをしっかりと曲げさせることができる。もし仮に小指用凸状刺激部３３が足裏の縦方向における四指用凸状刺激部３１と同じ位置にあれば、小指部５ｅの裏に接触してしまい、十分な機能を発揮できない。これに対して、靴下１は、小指部５ｅに対応する小指用凸状刺激部３３の位置のみ異ならせたため、小指部５ｅにも適切な刺激をあたえてしっかりと曲げさせることができ、浮指の防止や改善に役立てることができる。
【００４１】
また、小指用凸状刺激部３３は、薬指部５ｄの対応位置にかかるくらい長く形成されているため、小指部５ｅを確実かつ良好に刺激でき曲げさせることができる。この小指用凸状刺激部３３が薬指部５ｄ対応部分にかかっていたとしても、薬指部５ｄは四指用凸状刺激部３１により曲げられるために問題が無い。
【００４２】
また、上述した左右締め付け部３５により足先に対して左右方向にアーチを作るように補助されるため、これによりしっかりと開いた足指部５を凸状刺激部３０により接地させるように曲げることができ、より効果的に浮指の防止や改善に役立てることができる。
【００４３】
さらに、上述した土踏まず締め付け部３７により足先の前後方向のアーチを作ることで、足指部５の先が自然に接地方向に向くように補助されるため、さらに効果的に浮指の防止や改善に役立てることができる。
【００４４】
なお、靴下１全体を構成する通常編み部２９は、適宜の弾性素材を用いて構成されることが望ましく、弾性が強い編み方又は／及び素材により構成されている部位は、必要な弾性の強さに応じて、より強い弾性力を持つゴム糸を挿入した素材により形成されている。
【００４５】
また、本願発明と実施形態の対応において、
弾性部は、内側弱弾性部２１、内側強弾性部２２、アキレス腱解放部２３、外側強弾性部２４、および外側弱弾性部２５に対応するが、この発明は本実施形態に限られず他の様々な実施形態とすることができる。
【００４６】
例えば、この実施形態では四指用凸状刺激部３１と小指用凸状刺激部３３を離間させて別々に備えた二段構成としたが、手縫い等で湾曲させて配置して図示された四指用凸状刺激部３１と小指用凸状刺激部３３の間も続けて同じ凸状刺激部を設けてもよい。この場合も、同じように機能を発揮することができる。
【００４７】
また、靴下１を編み物として構成したが、織物として構成してもよい。  
また、靴下１は、一般的な長さの靴下（ショートソックス）としたが、これに限らず、脛部分まで長いハイソックス、膝上まであるニーハイソックス、およびタイツなど、少なくとも踝からアキレス腱を覆う様々な靴下に利用することができる。この場合も備えた機能部の機能を発揮させることができる。
【産業上の利用可能性】
【００４８】
この発明は、靴下を製造販売する産業、および靴下を利用して健康を増進する産業に利用することができる。
【符号の説明】
【００４９】
１…靴下
２１…内側弱弾性部
２２…内側強弾性部
２３…アキレス腱解放部
２４…外側強弾性部
２５…外側弱弾性部
Ｋ１…内踝
Ｋ２…外踝
Ｋ５…アキレス腱裏
【図１】
2018178322.tif 000003
【図２】
2018178322.tif 000004
【図３】
2018178322.tif 000005
【図４】
2018178322.tif 000006